(57)【要約】【課題】内蔵された光ディスクドライブのモータの回転音が，再生コンテンツの視聴の妨げとなり難いテレビジョン受像機を提供すること。【解決手段】テレビジョン受像機Ｘが，スピーカ２５と，光ディスクを速度可変に回転させつつその回転速度に応じた速度で光ディスクのデータにアクセスする光ディスクドライブ９と，光ディスクからコンテンツデータを先読みしつつそのコンテンツの再生信号を生成する録画・再生回路８とを備え，録画・再生回路８により，光ディスクの回転速度が，再生音声の音量が小さいときにその音量が大きいときよりも低速に調節される。【選択図】図１
2009289333.tif 000002
【特許請求の範囲】
【請求項１】
映像表示手段及びスピーカと，光ディスクを速度可変に回転させつつその回転速度に応じた速度で前記光ディスクに記録されたデータにアクセスする光ディスクドライブと，該光ディスクドライブを通じて前記光ディスクからコンテンツのデータを先読みしつつそのコンテンツの再生信号を生成するコンテンツ再生手段と，を備え，前記再生信号に基づく再生映像及び再生音声が前記映像表示手段及び前記スピーカを通じて出力される光ディスクドライブ内蔵型のテレビジョン受像機であって，
前記光ディスクドライブにおける前記光ディスクの回転速度を，前記再生音声の音量が小さいときにその音量が大きいときよりも低速に調節する回転速度調節手段を具備してなることを特徴とするテレビジョン受像機。
【請求項２】
前記再生音声の予め設定された時間分の平均音量を算出する平均音量算出手段を具備し，
前記回転速度調節手段が，前記平均音量算出手段により算出された前記平均音量に応じて前記光ディスクの回転速度を調節してなる請求項１に記載のテレビジョン受像機。
【請求項３】
前記平均音量算出手段が，所定の操作入力手段を通じて設定された指定音量レベルと，前記コンテンツ再生手段により先読みされたコンテンツのデータに基づき生成された今後出力予定の再生信号における前記予め設定された時間分の音量レベルの平均値とに基づいて，前記再生音声の平均音量を算出してなる請求項２に記載のテレビジョン受像機。
【請求項４】
前記光ディスクドライブを通じて前記光ディスクからコンテンツのジャンル情報を取得するジャンル情報取得手段と，
前記ジャンル情報取得手段により取得された前記ジャンル情報の内容に応じて，前記回転速度調節手段による処理の実行可否又は前記回転速度の調節規則を切り替えるジャンル制御手段と，
を具備してなる請求項１〜３のいずれかに記載のテレビジョン受像機。
【発明の詳細な説明】
【技術分野】
【０００１】
本発明は，光ディスクドライブ内蔵型のテレビジョン受像機に関するものである。
【背景技術】
【０００２】
一般に，テレビジョン受像機は，録画・再生装置等の周辺機器と接続されたＡＶシステムの主要装置として利用されることが多い。また，昨今，液晶テレビジョン受像機に代表される薄型のテレビジョン装置は，光ディスクドライブが内蔵され，光ディスクに放送番組等のコンテンツを録画する録画機能及び録画データに基づく再生機能を備えるものがある。これにより，録画・再生機能を有するＡＶシステム全体の省スペース化が実現される。なお，光ディスクドライブには，ＤＶＤ（Digital Versatile Disc）のドライブやブルーレイディスクのドライブ等がある。
また，光ディスクドライブは，光ディスクの回転速度を，基準となる回転速度（１倍速）から，その２倍速，４倍速及び８倍速等へ変更する機能を有し，その回転速度に応じた速度で光ディスクに記録されたデータにアクセスする。
コンテンツの再生処理では，光ディスクドライブを通じて光ディスクからコンテンツのデータが先読みされ，そのコンテンツの再生信号の生成及びバッファリングが行われつつ，再生速度に応じたペースでバッファから再生信号が出力される。その際，光ディスクドライブは，基準となる回転速度よりも速い速度で光ディスクを回転させる。これにより，早送り再生が可能となり，また，再生処理中に他の割り込み処理が発生した場合でも円滑な再生が可能となる。なお，前記コンテンツのデータの先読みとは，そのコンテンツのリアルタイム再生に必要なデータの読み込みペースよりも速いペースでデータの読み込みを行うことである。
ところが，光ディスクドライブは，光ディスクの回転速度を速くするほど，大きなモータの回転音を発生し，それが騒音となる。
これに対し，録画・再生装置は，防音構造を有する比較的大きな筐体の中に光ディスクドライブが内蔵され，騒音の低減が図られている。また，録画・再生装置自体がキャビネットに収容されること等によっても騒音の低減が図られる。
また，特許文献１には，音量ダイアルを兼ねる操作部に対するユーザの設定操作に従って，光ディスクの回転速度を設定する光ディスクドライブが示されている。
【特許文献１】特開２００４−３３４９８１号公報
【発明の開示】
【発明が解決しようとする課題】
【０００３】
しかしながら，テレビジョン受像機は，その外装面の多くが振動しやすい画面（ガラスパネル）及びスピーカで占められ，内蔵された光ディスクドライブからの音漏れ防止構造をとりにくい。さらに，画面及びスピーカを備えるテレビジョン受像機は，キャビネットへの収容等によりそれ自体を覆って防音を図ることができない。
そのため，テレビジョン受像機，特に，薄型で軽量な液晶テレビジョン受像機は，光ディスクドライブが内蔵されることにより，光ディスク駆動モータの回転音が再生コンテンツの視聴を妨げる騒音になりやすいという問題点があった。
従って，本発明は上記事情に鑑みてなされたものであり，その目的とするところは，内蔵された光ディスクドライブにおける光ディスク駆動モータの回転音が，再生コンテンツの視聴の妨げとなり難いテレビジョン受像機を提供することにある。
【課題を解決するための手段】
【０００４】
上記目的を達成するために本発明に係るテレビジョン受像機装置は，光ディスクドライブ内蔵型のテレビジョン受像機であり，次の（１）〜（４）に示す各構成要素を備えるものである。
（１）映像表示手段及びスピーカ。
（２）光ディスクを速度可変に回転させつつその回転速度に応じた速度で前記光ディスクに記録されたデータにアクセスする光ディスクドライブ。
（３）前記光ディスクドライブを通じて前記光ディスクからコンテンツのデータを先読みしつつそのコンテンツの再生信号を生成するコンテンツ再生手段。
（４）前記光ディスクドライブにおける前記光ディスクの回転速度を，前記再生音声の音量が小さいときにその音量が大きいときよりも低速に調節する回転速度調節手段。
なお，前記再生信号に基づく再生映像及び再生音声が，前記映像表示手段及び前記スピーカを通じて出力される。
【０００５】
本発明に係るテレビジョン受像機において，前記回転速度調節手段は，前記コンテンツの再生音声の音量が大きく，多少のノイズ音は再生コンテンツの視聴の妨げとならないときに前記光ディスクの回転速度を比較的速い速度に調節する。また，前記回転速度調節手段は，前記コンテンツの再生音声の音量が小さく，ノイズ音が再生コンテンツの視聴の妨げとなりやすいときに前記光ディスクの回転速度を比較的遅い速度に調節する。
これにより，光ディスク駆動モータの回転音が，再生コンテンツの視聴の妨げとなり難い。
また，本発明に係るテレビジョン受像機が，さらに次の（５）に示される構成要素を備えることが考えられる。
（５）前記再生音声の予め設定された時間分の平均音量を算出する平均音量算出手段。
この場合，前記回転速度調節手段が，前記平均音量算出手段により算出された前記平均音量に応じて前記光ディスクの回転速度を調節する。
これにより，変化に対する応答性が比較的低い前記光ディスクの回転速度が，短時間で大きく変動し得る音量に応じて過剰に変更されることを防止できる。
【０００６】
また，前記平均音量算出手段が，以下の方法で前記再生音声の平均音量を算出すればさらに好適である。
・所定の操作入力手段を通じて設定された指定音量レベルと，前記コンテンツ再生手段により先読みされたコンテンツのデータに基づき生成された今後出力予定の再生信号における前記予め設定された時間分の音量レベルの平均値とに基づいて，前記再生音声の平均音量を算出する。
これにより，前記回転速度調節手段は，前記光ディスクの回転速度を変化させるタイミングを，実際にスピーカを通じて出力される前記再生音声の変化のタイミングと同期させることができ，的確な回転速度調節が可能となる。
また，本発明に係るテレビジョン受像機が，さらに，次の（６）及び（７）に示される各構成要素を備えることが考えられる。
（６）前記光ディスクドライブを通じて前記光ディスクからコンテンツのジャンル情報を取得するジャンル情報取得手段。
（７）前記ジャンル情報取得手段により取得された前記ジャンル情報の内容に応じて，前記回転速度調節手段による処理の実行可否又は前記回転速度の調節規則を切り替えるジャンル制御手段。
これにより，再生中のコンテンツのジャンルが，出力音の傾聴に特に重点がおかれるクラッシック音楽等である場合と，そうではないニュース等である場合とで，それぞれの場合に適した光ディスクの回転速度調節がなされ好適である。
【発明の効果】
【０００７】
本発明に係るテレビジョン受像機は，内蔵された光ディスクドライブの発生音が，コンテンツの再生音の聴取の妨げとならないように，光ディスクの回転速度を調節する。従って，本発明によれば，内蔵された光ディスクドライブにおける光ディスク駆動モータの回転音が，再生コンテンツの視聴の妨げとなり難いテレビジョン受像機を提供できる。これにより，視聴者は，快適にコンテンツを鑑賞できる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るテレビジョン受像機Ｘの概略構成を表すブロック図，図２はテレビジョン受像機Ｘにおけるコンテンツ再生処理の手順を表すフローチャート，図３はコンテンツのジャンルに応じた回転調節パターン情報の一例を表す図である。
【０００９】
まず，図１に示されるブロック図を参照しつつ，本発明の実施形態に係るテレビジョン受像機Ｘの構成について説明する。
図１に示すように，テレビジョン受像機Ｘは，複数のチューナ１，外部信号入力部２，復調・分離回路３，映像復号回路１１，映像選択回路１２，映像処理回路１３，液晶ドライバ１４，液晶表示パネル１５（映像表示手段の一例），調光回路１６，バックライト１７，音声復号回路２１，音声選択回路２２，音声処理回路２３，アンプ２４，スピーカ２５，制御回路４，計時回路５，リモコン受光部６，リモコン７，録画・再生回路８及び光ディスクドライブ９等を備えている。
このテレビジョン受像機Ｘは，前記録画・再生回路８により生成されるコンテンツの再生信号に基づく再生映像及び再生音声が，前記液晶表示パネル１５及び前記スピーカ２５それぞれを通じて出力される光ディスクドライブ内蔵型のテレビジョン受像機である。
【００１０】
前記チューナ１は，入力されたテレビジョン放送信号から放送中のコンテンツ（放送番組）の信号を抽出する電子部品である。より具体的には，前記チューナ１は，前記制御回路４により選択を指示された放送番組の信号が含まれる搬送波周波数成分の信号を抽出し，その抽出信号を後段の復調・分離回路３に伝送する。なお，前記チューナ１は，放送媒体（地上波，ＢＳ，ＣＳ等）ごとに個別に設けられる。
前記復調・分離回路３は，前記チューナ１から伝送されてきた搬送波周波数成分からトランスポートストリーム信号（Transport Stream信号：以下，ＴＳ信号）を復調する。さらに，前記復調・分離回路３は，抽出されたＴＳ信号から，視聴される放送番組に対応した映像信号及び音声信号，並びに付加データ等を分離して抽出する。さらに，前記復調・分離回路３は，前記制御回路４から受けたＰＩＤ（Packet IDentification)に応じて，視聴対象となる放送番組の映像信号及び音声信号を抽出し，各信号を前記映像復号回路１１及び前記音声復号回路２１それぞれに伝送する。
また，前記復調・分離回路３は，ＴＳ信号から，付加データであるＳＩ（Service Information）等を抽出して前記制御回路４に伝送する。このＳＩは，ＥＰＧ（電子番組ガイド）の情報（例えば，番組名，番組のジャンル，放送時間等を示す情報）が多重化されたデータである。
【００１１】
また，前記外部信号入力部２は，外部装置から映像信号及び音声信号を入力する信号入力インターフェースである。
また，前記光ディスクドライブ９は，ＤＶＤ又はブルーレイディスク等の着脱自在の光ディスクがセットされ，その光ディスクに対してデータの読み書きを行う装置である。その際，前記光ディスクドライブ９は，セットされた光ディスクをモータにより速度可変に回転させつつ，その回転速度に応じた速度でその光ディスクに記録されたデータにアクセスする。なお，前記光ディスクドライブ９に対する前記光ディスクの回転速度，即ち，光ディスクを駆動するモータの回転速度の設定（指示）は，前記録画・再生回路８により行われる。
また，前記録画・再生回路８は，前記光ディスクドライブ９に対して前記光ディスクの回転速度（モータ回転速度）の指令を出力する処理と，コンテンツの録画処理及びコンテンツの再生処理とを実行する回路である。
例えば，前記録画・再生回路８は，前記映像復号回路１１から出力される映像信号及び前記音声復号回路２１から出力される音声信号に基づいて，コンテンツの録画処理を行う。その際，前記録画・再生回路８は，入力信号からコンテンツのデータ（録画データ）を生成し，そのデータを前記光ディスクドライブ９を通じて光ディスクに記録する。録画対称となるコンテンツは，前記チューナ１により得られる放送番組のコンテンツ，又は前記外部信号入力部２を通じて入力されるコンテンツである。
さらに，前記録画・再生回路８は，前記光ディスクドライブ９を通じて光ディスクからコンテンツのデータ（録画データ）を読み出しつつ，そのコンテンツの再生信号を生成するコンテンツ再生処理を実行する。前記再生信号は，コンテンツの再生映像の信号（映像信号）及び再生音声の信号（音声信号）である。その際，前記録画・再生回路８は，前記光ディスクからコンテンツのデータの先読みを行いつつ，そのコンテンツの再生信号の生成と，不図示の再生信号バッファへのバッファリングとを行う。そして，コンテンツデータの先読みがなされる際，前記光ディスクドライブ９は，基準となる回転速度よりも速い速度（２倍速〜８倍速）で光ディスクを回転させる。
そして，前記録画・再生回路８は，再生速度（リアルタイム再生）に応じたペースで，前記再生信号バッファから前記再生信号を出力する。ここで，前記再生信号における映像信号は前記映像選択回路１２へ出力され，前記再生信号における音声信号は前記音声選択回路２２へ出力される。これにより，早送り再生が可能となり，また，再生処理中に他の割り込み処理が発生した場合でも円滑な再生が可能となる。
【００１２】
また，前記映像復号回路１１は，前記復調・分離回路３から伝送される映像信号を復号し，復号した映像信号を前記映像選択回路５に伝送する。同様に，前記音声復号回路２１は，前記復調・分離回路３から伝送される音声信号を復号し，復号した音声信号を前記音声選択回路２２に伝送する。
前記映像選択回路１２は，前記制御回路４からの制御指令に従って，入力される複数のコンテンツの映像信号の中から，１つ又は複数の映像信号を選択して前記映像処理回路１３へ伝送する。この映像選択回路１２に入力される信号には，前記映像復号回路１１を通じて入力される放送番組のコンテンツの映像信号と，前記外部信号入力部２を通じて入力される外部入力コンテンツの映像信号と，前記録画・再生回路８を通じて入力される再生コンテンツの映像信号とが含まれる。
【００１３】
また，前記映像処理回路１３は，前記制御回路４からの制御指令に従って，コンテンツの画像を前記液晶表示パネル１５に表示させるために前記液晶ドライバ１４に供給するフレーム画像信号を生成する。
例えば，前記映像処理回路１３は，前記制御回路４からの制御指令に従って，１つ又は複数のコンテンツの画像が全表示領域の中でレイアウトされた表示用のフレーム画像信号を生成する。即ち，前記映像選択回路１２は，１つのコンテンツの画像が全表示領域に渡って，或いは一部の表示領域のみに表示されるフレーム画像信号や，複数のコンテンツの画像が並べて配列されて表示されるフレーム画像信号等を生成する。
【００１４】
前記液晶ドライバ１４は，前記映像処理回路１３から所定周期で順次伝送されてくる前記フレーム画像信号に基づいて前記液晶表示パネル１５を制御し，そのフレーム画像信号に対応する１フレーム分（１コマ）の画像を前記液晶表示パネル１５に順次表示させる回路である。
また，前記液晶表示パネル１５は，前記液晶ドライバ１４による制御に応じて，前記フレーム画像信号に対応する映像を表示する映像表示手段の一例である。
また，前記バックライト１７は，前記液晶表示パネル１５の背面側に配列された複数の光源の光により，前記液晶表示パネル１５の表示領域を背面側から照明するものである。
また，前記調光回路１６は，前記制御回路４からの制御指令に従って，前記バックライト１７の光源に対する供給電力を調節することにより，前記バックライト１７の発光の明るさを調節する回路である。
【００１５】
前記音声復号回路２１は，前記復調・分離回路３から伝送されてくる音声信号を復号し，復号した音声信号を前記音声選択回路２２に伝送する。
前記音声選択回路２２は，前記制御回路４からの制御指令に従って，入力される複数の音声信号の中から１つの音声信号を選択して前記音声処理回路２３へ伝送する回路である。前記音声選択回路２２に入力される音声信号には，前記チューナ１により選局された放送番組のコンテンツの音声信号（前記音声復号回路２１を通じて入力される音声信号）と，前記外部信号入力部２を通じて入力される音声信号と，前記録画・再生回路８を通じて入力される再生コンテンツの音声信号とが含まれる。
前記音声処理回路２３は，前記制御回路４からの指示に従って，前記音声選択回路２２により選択された音声信号に対して各種信号処理を行うものである。例えば，前記スピーカ２５の特性に合わせたイコライズ処理や，サラウンド処理等を行う。
前記アンプ２４は，前記音声処理回路２３による処理後の音声信号を，前記制御回路４からの指示に従って増幅或いは減衰させる音量調節処理を行い，前記スピーカ２５に出力するものである。
【００１６】
前記リモコン受光部６は，当該テレビジョン受像機Ｘの操作用のリモコン７（リモート操作器）から，所定の信号伝送プロトコル（いわゆるリモコンプロトコル）に従って，赤外線による無線信号受信を行う信号伝送インターフェースである。そして，前記リモコン受光部６は，赤外線信号から前記リモコン７に対する操作入力情報を表す信号を抽出し，その信号を前記制御回路４に伝送する。
前記計時回路５は，クロック発振器を備え，前記制御回路４からの計時開始指令に応じてその時点からの経過時間の計時を行う回路である。その計時結果は前記制御回路４へ伝送される。
【００１７】
前記制御回路４は，演算手段であるＭＰＵ４ａ，記憶手段であるＲＯＭ４ｂ（ＥＰＲＯＭ）及びＥＥＰＲＯＭ４ｃを備え，前記ＭＰＵ４ａが，制御プログラムを実行することによって当該テレビジョン受像機Ｘ全体を制御する。
前記ＲＯＭ４ｂには，前記ＭＰＵ４ａによって実行される制御プログラムが予め格納されている。また，前記ＥＥＰＲＯＭ４ｃには，前記ＭＰＵ４ａが実行する処理において読み書き（参照又は書き込み）される各種データが記憶される。
なお，以降の説明において，前記制御回路４が実行する処理は，前記ＭＰＵ４ａが前記ＲＯＭ４ｂに記憶された制御プログラムを実行することによって実現される。
例えば，前記制御回路４は，前記リモコン７及び前記リモコン受光部６を通じてチャンネル選局や音量調節の情報を取得し，その取得情報の内容に応じて前記チューナ１に対する選局指示や前記アンプ２４に対する音量調節指示を出力する。
【００１８】
また，前記制御回路４は，前記復調・分離回路３により抽出されたＳＩに基づいて，現在放送中のコンテンツ（番組）及びこれから放送予定のコンテンツの内容に関する情報であるＥＰＧ情報（電子番組ガイド情報）を取得する。そのＥＰＧ情報は，前記ＥＥＰＲＯＭ４ｃに記録される。
前記ＥＰＧ情報には，放送番組のコンテンツのタイトル（番組名），放送媒体の種類（地上波，ＢＳ，ＣＳ等）及び放送チャンネル，放送開始日時及び放送終了日時，コンテンツのジャンル（ニュース，ワイドショー等），出演者等の情報が含まれている。
そして，前記録画・再生回路８は，放送番組のコンテンツの録画処理の際に，録画対象のコンテンツに関する前記ＥＰＧ情報（タイトル，ジャンル等）を，前記制御回路４から取得して録画データ（コンテンツのデータ）とともに前記光ディスクに記録する。
また，前記録画・再生回路８は，コンテンツの再生処理の際に，再生対象の録画データ（コンテンツのデータ）とともに前記光ディスクに記録されている前記ＥＰＧ情報を読み出し，これを前記制御回路４に伝送する。
【００１９】
次に，図２に示されるフローチャートを参照しつつ，前記制御回路４及び前記録画・再生回路８によるコンテンツの再生処理の手順の一例について説明する。図２に示される処理は，前記リモコン７において，再生対象のコンテンツの選択操作がなされ，さらに選択されたコンテンツの再生開始操作がされたことが検知されたときに開始される。なお，以下に示されるＳ１，Ｓ２，…は，処理手順（ステップ）の識別符号を表す。
【００２０】
まず，前記制御回路４により前記再生開始操作が検知されると，前記制御回路４から前記録画・再生回路８に対して再生開始指令が出力される。この再生開始指令に応じて，前記録画・再生回路８は，前記光ディスクドライブ９のモータを最高速度（例えば，８倍速）で回転させる。これにより，セットされた光ディスクが最高速度で回転する（Ｓ１）。
続いて，前記録画・再生回路８が，前記光ディスクドライブ９を通じて，光ディスクから再生対象のコンテンツに関する前記ＥＰＧ情報（ジャンル情報を含む）を取得し，そのＥＰＧ情報を前記制御回路４に伝送する（Ｓ２，ジャンル情報取得処理）。
【００２１】
次に，前記制御回路４が，再生対象のコンテンツのジャンル情報の内容に応じて，前記光ディスクの回転速度調節の規則を表す回転調節パターンを選択する（Ｓ３）。
図３は，コンテンツのジャンルに応じた回転調節パターン情報Ｄ１の一例を表す図である。この回転調節パターン情報Ｄ１は，例えば，前記ＥＥＰＲＯＭ４ｃ等の記憶部に予め記憶される情報である。
前記回転調節パターン情報Ｄ１は，コンテンツの再生音量と前記光ディスクの回転速度との対応関係を表す情報であり，その対応関係が，再生対象のコンテンツのジャンルに応じて複数設定された情報である。そのジャンルに応じた対応関係が前記回転調節パターンである。
図３に示される前記回転調節パターン情報Ｄ１は，コンテンツのジャンルが「映画」又は「クラッシック音楽」である場合の前記対応関係が，第１の回転調節パターン（Ｐｔ１）であり，コンテンツのジャンルが「ドラマ」又は「その他の音楽（ポップス，ロック等）」である場合の前記対応関係が，第２の回転調節パターン（Ｐｔ２）であることを表している。
また，図３に示される例において，前記第１の回転調節パターン（Ｐｔ１）は，コンテンツの再生音量が「小さい」，「中間」又は「大きい」の各場合に，それぞれ前記光ディスクの回転速度が「１倍速」（基準速度），「２倍速」又は「４倍速」に設定されるパターンである。
同様に，前記第２の回転調節パターン（Ｐｔ２）は，コンテンツの再生音量が「小さい」，「中間」又は「大きい」の各場合に，それぞれ前記光ディスクの回転速度が「２倍速」（基準速度），「４倍速」又は「８倍速」に設定されるパターンである。
このように，再生されるコンテンツのジャンルが「映画」や「音楽」である場合，出力音が傾聴されるが考慮され，前記光ディスクの回転速度の調節値が音量の大小に応じて大小するように設定されている。また，ジャンルが「映画」や「クラッシック音楽」である場合，出力音の傾聴に特に重点がおかれるため，前記光ディスクの回転速度が特に低速となるように調節値が設定されている。
【００２２】
また，図３に示される例は，コンテンツのジャンルが上記以外である場合について，前記対応関係の情報が設定されていないこと，即ち，コンテンツの再生音量に基づく前記光ディスクの回転速度調節が行われないことを表している。
以下，コンテンツの再生音量に基づく前記光ディスクの回転速度調節が行われる動作モードのことを「音量対応モード」と称し，そうでない動作モードのことを「非音量対応モード」と称する。
即ち，ステップＳ３において，前記制御回路４は，再生対象のコンテンツのジャンル情報の内容に応じて，動作モードを前記音量対応モードに設定して前記回転調節パターンＰｔ１，Ｐｔ２のいずれかを選択するか，或いは，動作モードを前記非音量対応モードに設定するかのいずれかを実行する。
【００２３】
そして，ステップＳ３における前記動作モードの設定内容に応じて，前記制御回路４は，それ以降に前記録画・再生回路８により実行される前記光ディスクの回転速度調節処理の内容を切り替える（Ｓ４）。
即ち，前記動作モードが前記非音量対応モードである場合，前記録画・再生回路８は，前記再生信号バッファにおける信号の残存率（以下，信号残存率という）に基づく前記光ディスクの回転速度調節を実行する（Ｓ５）。
例えば，前記信号残存率が予め定められた適正範囲を下回っている場合，前記録画・再生回路８は，その信号残存率が低いほど，前記光ディスクの回転速度をより速い速度に調節する。
また，前記信号残存率が前記適性範囲を上回っている場合，前記録画・再生回路８は，その信号残存率が高いほど，前記光ディスクの回転速度をより遅い速度に調節する。
また，前記信号残存率が前記適正範囲内にある場合，前記録画・再生回路８は，前記光ディスクの回転速度を現状のまま維持する。
また，前記動作モードが前記音量対応モードである場合であっても，前記信号残存率が予め定められた下限値未満である場合は，前記光ディスクの回転速度を，ステップＳ３で選択された前記回転調節パターンＰｔ１又はＰｔ２における最大の速度に調節する（Ｓ６，Ｓ７）。
【００２４】
一方，前記動作モードが前記音量対応モードであり，かつ，前記信号残存率が予め定められた下限値以上である場合，コンテンツの再生音量に基づく前記光ディスクの回転速度調節を実行する（Ｓ８〜Ｓ１０）。
その際，前記録画・再生回路８は，予め定め設定された時間である設定平均時間ｔｓの経過を監視し（Ｓ８），その時間ｔｓの周期で，時間ｔｓの期間の平均音量Ｖａの算出（Ｓ９，平均音量算出処理）と，その平均音量Ｖａに基づく前記光ディスクの回転速度調節処理（Ｓ１０）とを実行する。但し，前記設定平均時間ｔｓの周期の途中であっても，前記リモコン７の音量キー（操作入力手段）を通じて設定される音量レベル（以下，指定音量レベルという）に変更があった場合（新たに音量キーが操作された場合）は，前記平均音量算出処理（Ｓ９）と，その平均音量Ｖａに基づく前記光ディスクの回転速度調節処理（Ｓ１０）とが実行される。なお，前記設定平均時間ｔｓの計時は，前記計時回路５により行われる。
ここで，ステップＳ９で算出される再生音声の前記平均音量Ｖａは，例えば，前記録画・再生回路８（コンテンツ再生手段）によって先読みされたコンテンツデータに基づいて生成された今後出力予定の再生用の音声信号（再生信号の一部）の前記設定平均時間ｔｓの期間の音量レベルの平均値と，前記指定音量レベルとが乗算された値又はそれと等価な値である。前記指定音量レベルは，前記リモコン７の音量調節キーの操作内容に基づくレベルであり，前記制御回路４から前記録画・再生回路８に提供される。
なお，ステップＳ８の処理が省略され，ステップＳ９において，例えば，直近に出力された再生音声の音量についての前記設定平均時間ｔｓの期間の移動平均値が，前記平均音量Ｖａとして算出されること等も考えられる。
【００２５】
そして，前記録画・再生回路８は，前記平均音量Ｖａに応じて，ステップＳ３で選択された前記回転調節パターンＰｔ１又はＰｔ２により規定される調節規則に従って前記光ディスクの回転速度を調節する（Ｓ１０，回転速度調節処理）。より具体的には，前記録画・再生回路８は，前記平均音量Ｖａが「小さい」か「中間」か「大きい」かを，予め設定されたしきい値に基づいて判別し，その判別結果に対応する前記光ディスクの回転速度の調節値を前記回転調節パターンＰｔ１又はＰｔ２の内容に従って決定する。これにより，前記光ディスクドライブ９における前記光ディスクの回転速度（駆動モータの回転速度）が，前記平均音量Ｖａ（再生音声の音量）が小さいときにその音量が大きいときよりも低速に調節される（図３参照）。
以上に示したステップＳ５，Ｓ７又はＳ１０の処理により前記光ディスクの回転速度が調節されると，さらに，前記録画・再生回路８は，前記コンテンツの再生処理を開始又は継続する（Ｓ１１）。即ち，前記録画・再生回路８は，前記光ディスクドライブ９を通じて光ディスクからコンテンツのデータ（録画データ）を読み出しつつ，そのコンテンツの再生信号を生成する。その再生信号は，不図示の前記再生信号バッファへバッファリング（蓄積）される。
また，その一方で，前記録画・再生回路８は，再生速度（リアルタイム再生）に応じたペースで，前記再生信号バッファから前記再生信号における映像信号を前記映像選択回路１２へ出力し，前記再生信号における音声信号を前記音声選択回路２２へ出力する（Ｓ１２）。
【００２６】
そして，前記録画・再生回路８は，所定の再生終了条件の成立有無を検知しつつ（Ｓ１３），その再生終了条件が成立するまで，以上に示したステップＳ４〜Ｓ１２の処理を繰り返す。前記再生終了条件は，指定されたコンテンツの再生が全て終了したことや，前記リモコン７において再生終了キーが操作されたこと等である。
以上に示したテレビジョン受像機Ｘは，内蔵された前記光ディスクドライブ８が備える光ディスク駆動モータの発生音が，コンテンツの再生音の聴取の妨げとならないように，前記光ディスクの回転速度を調節する（Ｓ１０）。
また，前記光ディスクの回転速度調節に用いられる前記平均音量Ｖａは，先読みされたコンテンツのデータに基づき算出される（Ｓ９）。そのため，前記録画・再生回路８は，前記光ディスクの回転速度を変化させるタイミングを，実際にスピーカを通じて出力される再生音声の変化のタイミングと同期させることができ，的確なタイミングでの回転速度調節を行う（Ｓ１０）。
従って，テレビジョン受像機Ｘにより再生されるコンテンツを視聴するユーザは，光ディスク駆動モータの回転音が気にならずに，快適にコンテンツを鑑賞できる。
【００２７】
また，テレビジョン受像機Ｘにおいては，前記制御回路４により，ステップＳ２で取得された再生コンテンツのジャンル情報の内容に応じて前記回転調節パターン（図３参照）が選択され（Ｓ３），その選択結果に応じて，前記光ディスクの回転速度調節処理の内容が切り替えられる（Ｓ４，Ｓ１０，ジャンル制御処理）。即ち，ステップＳ３及びＳ４の処理により，再生音量に基づく回転速度調節処理（Ｓ１０）の実行を行うか，それを行わず，前記再生信号バッファの信号残存率に基づく回転速度調節処理（Ｓ５）の実行を行うかが切り替えられる。さらに，ステップＳ３において，再生コンテンツのジャンル情報の内容に応じて，前記光ディスクの回転速度調節の調節規則（前記回転調節パターンＰｔ１，Ｐｔ２）が切り替えられる。
これにより，再生中のコンテンツが，出力音の傾聴に重点がおかれるコンテンツである場合とそうでない場合とで，それぞれの場合に適した光ディスクの回転速度調節がなされ好適である。
【産業上の利用可能性】
【００２８】
本発明は，テレビジョン受像機に利用可能である。
【図面の簡単な説明】
【００２９】
【図１】本発明の実施形態に係るテレビジョン受像機Ｘの概略構成を表すブロック図。
【図２】テレビジョン受像機Ｘにおけるコンテンツ再生処理の手順を表すフローチャート。
【図３】コンテンツのジャンルに応じた回転調節パターン情報の一例を表す図。
【符号の説明】
【００３０】
Ｘ    ：テレビジョン受像機
１    ：チューナ
２    ：外部信号入力部
３    ：復調・分離回路
４    ：制御回路
５    ：計時回路
６    ：リモコン受光部
７    ：リモコン
８    ：録画・再生回路
９    ：光ディスクドライブ
１１  ：映像復号回路
１２  ：映像選択回路
１３  ：映像処理回路
１４  ：液晶ドライバ
１５  ：液晶表示パネル
１６  ：調光回路
１７  ：バックライト
２１  ：音声復号回路
２２  ：音声選択回路
２３  ：音声処理回路
２４  ：アンプ
２５  ：スピーカ
Ｓ１，Ｓ２，…：ステップ（処理手順）
【図１】
2009289333.tif 000003
【図２】
2009289333.tif 000004
【図３】
2009289333.tif 000005